(57)【要約】本発明は、抗ウイルス剤を施した衛生マスクの抗ウイルス衛生効果を高めることを目的とする。本願の抗ウイルス性マスクは、鼻部、下顎部、左右の両耳介部を覆う形態で、表側に抗ウイルス薬剤を施したニット布地（１１）を、鼻部等と接する内側には抗ウイルス薬剤を施さないニット布地（１２）を重ねてマスク本体（１０）を形成する。該マスク本体（１０）には、外周に沿ってニット布地で一定厚みの縁取を形づくる枠体（２０）を形成し、鼻頂部には、内湾曲状の曲線部（２１）を形成し、両耳介の内側には、ニット布地で一定厚みの縁取による枠体（２３ａ、２３ｂ）を形成し、中央部には、鼻下及び唇部を覆って空間を形づくる非伸縮性の接合部（１３）を形成する。
2017073675.tif 000002
【特許請求の範囲】
【請求項１】
抗ウイルス剤を施したニット布地と、抗ウイルス剤を施さないニット布地との２層以上の布地から成り、  鼻部、下顎部、左右の両耳介部を覆う形態で、表側に前記抗ウイルス剤を施したニット布地を、鼻部等と接する内側には前記抗ウイルス剤を施さないニット布地を重ねてマスク本体を形成し、  該マスク本体には、  外周に沿ってニット布地で一定厚みの縁取を形づくる枠体を形成し、  鼻頂部には、中央部頂点を境に左右に内側湾曲状の曲線部を形成し、  左右両耳介部の内側に、ニット布地で一定厚みの縁取による前記枠体を形成し、  中央部には、鼻下及び唇部を覆って空間を形づくる非伸縮性の接合部を形成した、  ことを特徴とする抗ウイルス性衛生マスク。
【請求項２】
前記ニット布地をポリエステル繊維とし、接合剤として糊性を備えたアクリル樹脂を付着させたことを特徴とする請求項１記載の抗ウイルス性衛生マスク。
【請求項３】
縁取を形成する前記枠体を、帯体のニット布地をバインダー仕上げとしたことを特徴とする請求項１又は２記載の抗ウイルス性衛生マスク。
【請求項４】
内側耳介部の枠体に対し、外側耳介部の枠体を輪状に外膨らみに形成したことを特徴とする請求項１〜３のうちいずれか記載の抗ウイルス性衛生マスク。
【請求項５】
中央部の前記接合部を、外膨らみの扇形に裁断した二つのニット布地を合わせ、その合わせ部を本縫いし、左右に開いた端部をステッチ縫いで割縫２本ステッチとして非伸縮性に縫合したことを特徴とする請求項１〜４のうちいずれか記載の抗ウイルス性衛生マスク。
【請求項６】
マスク本体と、前記マスク本体の左右方向の両端側に一対形成される耳介部と、前記マスク本体の上方向の端側に形成される鼻頂部と、を有する抗ウイルス性衛生マスクにおいて、  前記マスク本体は、抗ウイルス剤が施された表側本体と、前記抗ウイルス剤が施され前記表側本体に縫合される内側本体と、前記内側本体に対して着脱自在に取り付けられる取り替え式布地と、を有し、  前記表側本体及び前記内側本体は、綿素材の糸を編み込んだ布地であり、前記表側本体及び前記内側本体は、前記マスク本体の左右方向へ伸縮性を有すると共に前記マスク本体の上下方向への伸縮性が抑制され、  前記取り替え式布地は、前記抗ウイルス剤が施されていない不織布であることを特徴とする抗ウイルス性衛生マスク。
【請求項７】
前記抗ウイルス剤は、少なくともアミノ基に銀イオン、銅イオン及び亜鉛イオンが付加されていることを特徴とする請求項６に記載の抗ウイルス性衛生マスク。 
【発明の詳細な説明】
【技術分野】
【０００１】  本発明は、布地に抗ウイルス剤を施すと共にニット布地を活用して抗ウイルス性とフィット性に優れた衛生マスクに関する。
【背景技術】
【０００２】  ウイルスが引き起こす疾患等の被害が拡大し、これに対処せんとして繊維製品についても抗ウイルス加工した繊維が衣料用、寝具用等に開発され、衛生マスクについても、一部抗ウイルス活性を備えた衛生マスクが開示されている（特許文献１）。【０００３】  一方、この衛生マスクにあっては、一般にガーゼマスクと不織布マスクが用いられ、ガーゼマスクは目が粗く、不織布マスクは目が細かいとされ、もしこの不織布マスクに上記抗ウイルス加工を施せばより優れたウイルス感染防止効果が得られるものと予想されるが、しかし、未だ充分な感染防止効果を備えた衛生マスクは得られていない現状にある。【０００４】  そこで、本発明者が人間の衛生マスクをする際の態様をつぶさに観察したところ、上記マスクにあっては、マスクの周縁部を形成する鼻部、耳介部との間に比較的大きな隙間が生じ易いことが観察され、もし、上記不織布マスクに抗ウイルス加工を施したとしても、この隙間からウイルスが侵入してしまい、マスクの抗ウイルス効果が半減されてしまうのではないかという結論を得るに至った。
【先行技術文献】
【特許文献】
【０００５】
【特許文献１】特開２００４−３４６１８号公報
【特許文献２】特開２０１２−１５２３２７号公報
【発明の概要】
【発明が解決しようとする課題】
【０００６】  そこで、本発明者は更に研究を進めた結果、衛生マスクの布地として伸縮性に富んだニット布地の機能に着目し、このニット布地による伸縮性を活用することで隙間への問題等を解決することに成功したものである。【０００７】  そして本発明は、これによって上記抗ウイルス剤による衛生マスクの感染防止機能を満足させんとするもので、同時に、そのニット布地から生じるマスクとしての使用上の諸課題を解消せんとするものである。【０００８】  尚、衛生マスクに対し、多層構造糸を編んだ編物からなる層を有する技術が開示されているが（特許文献２）、これは単に鞘部に使用されるコットン繊維に吸湿性を期待するもので、マスク布地に編物の伸縮性を活用するものではない。【０００９】  又、上記特許文献１に示される衛生マスクは、抗ウイルス剤と活性炭素シートを組み合わせたもので、本願発明のフィット性に優れた抗ウイルス性の衛生マスクとは、趣旨を異にするものである。
【課題を解決するための手段】
【００１０】  本願抗ウイルス性マスクは、抗ウイルス剤を施したニット布地と、抗ウイルス剤を施さないニット布地との２層以上の布地から成り、鼻部、下顎部、左右の両耳介部を覆う形態で、表側に前記抗ウイルス薬剤を施したニット布地を、鼻部等と接する内側には前記抗ウイルス薬剤を施さないニット布地を重ねてマスク本体を形成する。該マスク本体には、外周に沿ってニット布地で一定厚みの縁取を形づくる枠体を形成し、鼻頂部には、内湾曲状の曲線部を形成し、両耳介の内側には、ニット布地で一定厚みの縁取による前記枠体を形成し、中央部には、鼻下及び唇部を覆って空間を形づくる非伸縮性の接合部を形成した、ことを特徴とする。【００１１】  請求項２では、前記ニット布地をポリエステル繊維とし、接合剤として糊性を備えたアクリル樹脂を付着させたことを特徴とする。【００１２】  請求項３では、縁取を形成する前記枠体を、帯体のニット布地をバインダー仕上げとしたことを特徴とする。【００１３】  請求項４では、内側耳介部の枠体に対し、外側耳介部の枠体を輪状に外膨らみに形成したことを特徴とする。【００１４】  請求項５では、中央部の前記接合部を、外膨らみの扇形に裁断した二つのニット布地を合わせ、その合わせ部を本縫いし、左右に開いた端部をステッチ縫いで割縫２本ステッチとして非伸縮性に縫合したことを特徴とする。【００１５】  請求項６では、マスク本体と、前記マスク本体の左右方向の両端側に一対形成される耳介部と、前記マスク本体の上方向の端側に形成される鼻頂部と、を有する抗ウイルス性衛生マスクにおいて、前記マスク本体は、抗ウイルス剤が施された表側本体と、前記抗ウイルス剤が施され前記表側本体に縫合される内側本体と、前記内側本体に対して着脱自在に取り付けられる取り替え式布地と、を有し、前記表側本体及び前記内側本体は、綿素材の糸を編み込んだ布地であり、前記表側本体及び前記内側本体は、前記マスク本体の左右方向へ伸縮性を有すると共に前記マスク本体の上下方向への伸縮性が抑制され、前記取り替え式布地は、前記抗ウイルス剤が施されていない不織布であることを特徴とする。【００１６】  請求項７では、前記抗ウイルス剤は、少なくともアミノ基に銀イオン、銅イオン及び亜鉛イオンが付加されていることを特徴とする。
【発明の効果】
【００１７】  本発明マスク本体を顔面に装着すると、枠体が若干伸ばされて鼻部、下顎部、左右の両耳介部に掛かり、その伸張に対するニット布地の反力として縮み方向（内側方向）に力が働き、これが枠体を顔面に密着させる効果を生み、ウイルスの侵入を可及的に防止することが可能となる。【００１８】  このとき、隆起する鼻頂部とマスク本体との間に隙間が生じるおそれがあっても、マスク本体の鼻頂部に中央部頂点を境に左右に内側湾曲状の曲線部が形成されるので、鼻部の膨らみに対して内側湾曲状の曲線凹部が嵌め合い、両者は密着され、ウイルス侵入の防止効果が高められる。【００１９】  又、端部となる耳介部の内側とマスク本体との間に隙間が生じるおそれがあっても、両耳介の外側及び内側に亘って、ニット布地で一定厚みの縁取による枠体が形成されるので、その収縮力に伴う密着性によりウイルス侵入を防止できる。【００２０】  同時に上記枠体による顔面との密着作用が促されるとき、頬部と顎部に掛けては伸縮性のニット布地そのものがその部位と密接状態となり、上記枠体によるウイルス侵入防止効果に加え、二重の意味での侵入防止効果が促される。【００２１】  上記ニット布地の枠体及び布地面よって、その間隙から生じるウイルスの侵入が可及的に防止されるとき、本発明にあっては、マスク布地に施された抗ウイルス剤がウイルスに働き、銀イオン、銅イオン等の作用で、その数を大幅に減少させる効果を生む。本発明で用いた薬剤によればウイルス活性値を３．０以上とすれば、千分の１以下に減少させる効果が期待できる。【００２２】  一方、マスク本体をニット布地としたとき、その伸縮性ゆえに密着性が過ぎて、呼吸や口の動きを抑制してしまうおそれがあるが、マスク布地の中央部には、鼻下及び唇部を覆って空間を形づくる非伸縮性の接合部を形成したので、会話等で唇を動かしても、又、呼吸をしても、ニット布地による拡大、縮小といった変化を生じることがなく、安定してこれを行うことができる。【００２３】  このとき、内側本体には抗ウイルス剤が施されることがないので、上記会話、呼吸等を一層円滑なものとすることができる。【００２４】  請求項２記載の発明は、ニット布地に接合剤として糊性を備えたアクリル樹脂を付着させると、ニット布地が引っ張られて編み目が拡大しても、糊性を備えたアクリル樹脂が追随して延び、編み目に生じた空隙を狭めることができ、且つ、その空隙は呼吸に必要な通気性を確保したものとなる。【００２５】  請求項３記載の発明では、縁取を形成する枠体を、帯体のニット布地をバインダー仕上げとすると、若干の伸縮性は残すが、本体ニット布地の伸縮性はある程度抑えられたものとなる。【００２６】  請求項４記載の発明では、内側耳介部の枠体に対し、外側耳介部の枠体を輪状に外膨らみに形成することで、密着力をいっそう強めることができる。【００２７】  請求項５記載の発明では、中央部の接合部を、外膨らみの扇形に裁断した二つのニット布地を合わせ、その合わせ部を本縫いし、左右に開いた端部をステッチ縫いで割縫２本ステッチとして非伸縮性に縫合すると、接合部の非伸縮性が確保され、呼吸、会話等を安定して行える。【００２８】  請求項６記載の発明では、抗ウイルス剤が施された表側本体及び内側本体と、内側本体に対して着脱自在に取り付けられ、抗ウイルス剤が施されていない取り替え式布地とを有するマスク本体が形成されている。そして、表側本体及び内側本体の布地は綿素材の糸を編み込み、マスク本体の左右方向に伸縮し、マスク本体の上下方向への伸縮が抑制されている。この構造により、マスク本体は繰り返し洗濯して使用されても抗ウイルス性能が劣化し難く、マスク本体と使用者の顔との密着性が向上されることで、ウイルスの侵入を可及的に防止することが可能となる。更には、取り替え式布地として不織布を用いることで、使用者の口が直接内側本体と接触することを防止しつつ、取り替え式布地が大気汚染物質に対してフィルターとしての機能も果たすことができる。【００２９】  請求項７記載の発明では、抗ウイルス剤として、少なくともアミノ基に銀イオン、銅イオン及び亜鉛イオンが付加されている。この抗ウイルス剤が綿素材の布地に対して付着し、繰り返し洗濯しても綿素材の布地から落ち難い特性を有することで、マスク本体の抗ウイルス特性の持続性が向上される。
【図面の簡単な説明】
【００３０】
【図１】本発明衛生マスクの正面図である。
【図２】同上背面図である。
【図３】同上側面図である。
【図４】同上斜視図である。
【図５】同上鼻頂部の一部拡大図である。
【図６】同上耳介部の一部拡大図である。
【図７】耳介部縫製の仕方を示す模式図である。
【図８】本発明衛生マスクを装着した状態の斜視図である。
【図９】本発明衛生マスクを装着した状態の一部拡大断面図である。
【図１０】本発明の他の実施形態に係る抗ウイルス性衛生マスクを説明する（Ａ）斜視図、（Ｂ）斜視図、（Ｃ）平面図である。
【図１１】本発明の他の実施形態に係る抗ウイルス性衛生マスクを説明する側面図である。
【図１２】本発明の他の実施形態に係る抗ウイルス性衛生マスクを説明する（Ａ）側面図、（Ｂ）側面図である。
【図１３】本発明の他の実施形態に係る抗ウイルス性衛生マスクの抗ウイルス性試験の結果を説明する図である。
【発明を実施するための形態】
【００３１】  以下、本発明に係る抗ウイルス性衛生マスクを実施するための形態を図面に基づいて説明する。
【００３２】  抗ウイルス剤は、後述するニット布地に付着したウイルスを減少させる目的で使用するもので、例えばアミノ基に銀イオン、銅イオン、亜鉛イオン等が付加されたものを用いることができる。具体的には、（株）ＣＬＳ社Ｋ１２５を挙げることができ、該製品によれば、２０１４年  ＩＳＯ・１８１８４に規定される抗ウイルス試験の認証を得ることができる。該ＩＳＯ・１８１８４で抗ウイルス活性値が３．０以上を示すと、ウイルスの数を千分の１以下に減少させることが可能となる。
【００３３】  本発明では、ニット布地の伸縮性に鑑みて、上記抗ウイルス剤と布地との間に接合剤を施すことが望ましい。
【００３４】  この接合剤とは、布地に対して抗ウイルス剤の働きを向上させる機能を備えたものをいう。
【００３５】  例えば、ニット布地をポリエステル樹脂としたとき、接合剤として糊性を備えたアクリル樹脂を用いることができ、上記抗ウイルス剤にアクリル樹脂と蒸留水との混合物を調製し、この混合液にニット布地を浸漬させた後、引き上げて所定時間乾燥させたものを用いることができる。
【００３６】  ニット布地が伸ばされたとき、糊性を備えた接合剤がこれに追随して延び、ニット布地の間に生じた空隙に対し、これを狭めることが可能となる。
【００３７】  布地間には、呼吸に伴う通気性とウイルスの侵入を防ぐ遮蔽性との相反する性能が要求されるが、上記構成によって両者の調整が図られる。
【００３８】  又、接合剤と繊維との結合で洗濯にも耐えることができる。
【００３９】  次に、本発明で使用するマスクの布地には、伸縮性に富んだニット布地を用いる（図１，図２参照）。
【００４０】  ここでニット布地とは、編成によって伸び及び縮み性（伸縮性）を備えた布地をいう。
【００４１】  例えば、ポリエステル繊維の７５番糸を丸編みしたものが使用可能である。
【００４２】  ポリエステルは後述する抗ウイルス性の薬剤との間で付着性に優れ、７５番糸程度の糸がマスクの編成と通気性の確保に適している。
【００４３】  本発明では、抗ウイルス剤を施したニット布地と、抗ウイルス剤を施さないニット布地との２層以上の布地から成り、後述する形態のマスク表側の表側本体１１には抗ウイルス剤を施したニット布地を用い、鼻部等と接する内側本体１２には該抗ウイルス剤を施さないニット布地を重ねてマスク本体１０を形成する。
【００４４】  外気と接する表側では、侵入するウイルスに対し防御する抗ウイルス剤を施すが、唇、鼻、頬等に接する内側にあっては、薬剤からの害を回避する目的でこれを施さないものとする。
【００４５】  尚、必要に応じて中間層等を設けて２層以上とすることも可能である。
【００４６】  マスク本体１０の形態は、上下方向には、鼻頂部２１（隆起した鼻の一部）から下顎部２２（下顎の喉方向に入った部分）に至る長さとし、左右方向には、一方の右又は左の耳介の裏側から始まって他方の左又は右の耳介の裏側へと至る長さとする（図１〜図４、及び図８参照）。
【００４７】  総じて、鼻部、左右の両耳介部、下顎部を全体的に覆う形態となる。
【００４８】  斯かる形態によって、顔面を広く覆うことができると共に、後述する周縁枠体２０の密着効果が導き出される。
【００４９】  次いで、上記マスク本体１０の外周に沿ってニット布地で一定厚みの縁取を形づくる枠体２０を形成する（図１，図２参照）。
【００５０】  ここで、枠体２０には、一定幅（帯状）で長尺のニット布地を用意し、これを上記２枚のニット布地の外縁に沿って、帯体をバインダー仕上げしたものを用いることができる。例えば、２枚のニット布地に帯体２枚分相当の縁取が重ねられることで、計４枚分の厚みが形成され、本体ニット布地の２倍の厚みを備えた枠体が形成される（図３参照）。
【００５１】  枠体２０は、ニット布地で伸縮性を備えるが、バインダー仕上げの縫合によってその伸縮性が抑えられ、総じて、若干の伸縮性は残すが、本体ニット布地の伸縮性はある程度抑えられたものとなる。
【００５２】  上記マスク本体１０の形態にあって、鼻頂部２１には、鼻部の頂点に位置する箇所で、マスク中央上部の頂点を境に内側湾曲状の左曲線部２１ａ、右曲線部２１ｂを形成する（図５参照）。
【００５３】  人の鼻は隆起し、且つ、若干の外膨らみ形状を備えているので、鼻部の頂点から膨らみに応じて逆の湾曲凹部を形成すると、両者が嵌合する形態となり、枠体２０が鼻部との間で可及的に隙間を生じさせない密着性を保つことが可能となる（図８参照）。
【００５４】  又、必要に応じてポリエステル樹脂製の鼻止めを付設させても良い。
【００５５】  マスク本体１０の下顎部２２は、下顎の底部に掛かり、下顎の喉方向に入った部分も覆う形態とする。
【００５６】  鼻部、左右の両耳介部、下顎部を全体的に覆うことで枠体の密着効果を高めるためである。
【００５７】  一方、左右方向へは、両耳介の外側に及ぶ外周に沿って左耳介部２３ａ、右耳介部２３ｂを形成する他に、耳介内側にもニット布地で一定厚みの縁取による左内耳介部２４ａ、右内耳介部２４ｂを形成する（図１，図６参照）。
【００５８】  左右両耳介の外側に及ぶ外周に沿った左耳介部２３ａ、右耳介部２３ｂによって、鼻頂部２１から耳介外側に向けて密着力が働くが、残された耳介内側と頬部との間には、そのままでは間隙が生じ易い。
【００５９】  そこで、この耳介内側にも縁取による左内耳介部２４ａ、右内耳介部２４ｂを形成することで、両耳介と頬との隙間発生を防止する。
【００６０】  このとき、内周の左内耳介部２４ａ、右内耳介部２４ｂに対し、外周に沿った左耳介部２３ａ、右耳介部２３ｂを輪状に外膨らみに形成するのが望ましい（図６参照）。
【００６１】  その縫合の仕方は、図７に示す如く、ニット布地の裁片の端部を枠体２０に沿う細長とし、その終端を他端からずらして長尺とし（図７（Ａ））、長尺を輪状に丸めて終端を一端に固定し（図７（Ｂ）、その周囲を帯体でバインダー縫いする（図７（Ｃ））ことができる。
【００６２】  中央部には、鼻下及び唇部を覆って空間Ｓを形づくる非伸縮性の接合部１３を形成する（図９参照）。
【００６３】  具体的には、マスク本体１０の中央部を左右に分離させた上、鼻下及び唇部との間に一定空間を保つような外膨らみの扇形状に裁断し、表側本体１１を表側本体左片１１ａ、表側本体右片１１ｂとし、内側本体１２を内側本体左片１２ａ、内側本体右片１２ｂとし、且つ、この表側本体左片１１ａ、表側本体右片１１ｂ、及び内側本体左片１２ａ、内側本体右片１２ｂを互いに可及的に伸縮性をもたない非伸縮性とすべく縫合する。表側を表側接合部１３ａとし、内側を内側接合部１３ｂとして、接合部１３が形成される（図１，図２参照）。
【００６４】  この縫合は、例えば、両布を外側に余りを残して本縫いした後、余り部分を開いて、端部をステッチ縫いし、割縫い２本ステッチとし、二重の縫合を施すことで可及的な非伸縮性を得ることができる。
【００６５】  即ち、ニットの伸縮性は、そのまま作用させると、鼻の下及び唇の表面にも及んでしまい、その密着性により鼻呼吸や会話等を妨害してしまう虞がある。
【００６６】  そこで、上記唇等の間で充分な空間Ｓを保つ形状とし、且つ、それを二重の縫合で接合するとき、鼻呼吸及び会話等に伴う唇の動きが生じても、ニットの伸縮性は抑えられ、これが妨害されることがないものとなる。
【００６７】  表側本体１１と内側本体１２との間には、不織布等でフィルター層を介在させることもできる。
【００６８】  以下に、本発明の作用効果を説明する。
【００６９】  本発明マスクは、鼻部、下顎部、左右の両耳介部を覆う形態でマスク本体１０が形成され、該マスク本体１０の外周に沿ってニット布地で一定厚みの縁取を形づくる枠体２０が形成される（図１〜図３参照）。
【００７０】  該枠体２０は、ニット布地で伸縮性を備える一方で縫合によってその伸縮性が抑えられ、若干の伸縮性は残すが、本体ニット布地の伸縮性はある程度抑えられたものとなる。
【００７１】  そこで、使用の際、マスク本体１０を顔面に装着すると、枠体２０が若干伸ばされて鼻部、下顎部、左右の両耳介部に掛かると、その伸張に対するニット布地の反力として縮み方向（内側方向）に力が働く（図８参照）。
【００７２】  伸縮性に富んだニット布地は、引張り力によって伸張すると、そこに反力が生まれ、その反力が枠体２０を内側方向へ引っ張る作用を生む。
【００７３】  その結果、鼻部、下顎部、左右の両耳介部に掛かった枠体２０が、内側に若干収縮するものとなり、これが枠体２０を顔面に密着させる効果を生む。
【００７４】  即ち、従来のマスクにあっては、マスク周縁部に隙間が生じ易く、これがウイルスの鼻内、口内への侵入を許す要因になっていたものを、本マスクにあっては、鼻部、下顎部、左右の両耳介部を覆う形態で形成された枠体２０が、顔面に密着されるものとなり、ウイルスの侵入を可及的に防止することが可能となる。
【００７５】  このとき、隆起する鼻頂部２１とマスク本体１０との間には、その凸凹から隙間が生じ易い傾向があるが、本願マスク本体１０の鼻頂部２１には、中央部頂点を境に左右に内側湾曲状の左曲線部２１ａ、右曲線部２１ｂが形成されるので、鼻部の膨らみに対して内側湾曲状の曲線凹部が嵌め合い、両者が密着されるものとなる（図５，図８参照）。
【００７６】  この結果、上記ウイルスの侵入に対する防止効果が更に高められたものとなる。
【００７７】  同時に、上記と同様、端部となる耳介部の内側とマスク本体１０との間にも隙間が生じ易い傾向にある。
【００７８】  そこで、上述の如く、両耳介の外側に及ぶ外周に沿って左耳介部２３ａ、右耳介部２３ｂを形成する他に、耳介内側にもニット布地で一定厚みの縁取による左内耳介部２４ａ、右内耳介部２４ｂが形成される（図３，図６参照）。
【００７９】  すると、耳介部の外側及び内側に亘って枠体２０が形成され、その収縮力に伴う密着性によりウイルス侵入を防止できる。
【００８０】  このとき、内周の左内耳介部２４ａ、右内耳介部２４ｂに対し、外周に沿った左耳介部２３ａ、右耳介部２３ｂを輪状に外膨らみに形成すると、膨らんだ輪状の枠体２０が耳介部に沿う形態となり、密着力をいっそう強めることができる（図７参照）。
【００８１】  この縫合の仕方を、図７に示す如く、ニット布地の裁片の端部を枠体２０に沿う細長とし、その終端を他端からずらして長尺とし（図７（Ａ））、長尺を輪状に丸めて終端を一端に固定し（図７（Ｂ）、その周囲を帯体でバインダー縫いすることで（図７（Ｃ））、枠体２０の形成がより完全となる。
【００８２】  上記枠体２０によるウイルス侵入防止効果に加え、ニット布地による両頬面、上顎及び下顎にかけての顔面とニット布地との密着効果が期待できる。
【００８３】  即ち、上記枠体２０による顔面との密着作用が促されるとき、例えば若干膨らんだ頬部と、突き出した上顎及び下顎に掛けては、伸縮性のニット布地そのものが、その部位と密接状態となる（図８参照）。
【００８４】  その結果、上記枠体２０によるウイルス侵入防止効果に加え、この部位においても密着性によるウイルス侵入効果が期待でき、二重の意味での効果が促される。
【００８５】  さて、上記枠体２０及び布地そのものによって、その間隙から生じるウイルスの侵入が可及的に防止されたとき、本発明にあっては、布地そのものに施された抗ウイルス剤がウイルスに働き、その数を減少させる効果を生む。
【００８６】  即ち、本発明に用いる抗ウイルス剤は、呼吸等に伴ってニット布地の編み目から入ったウイルスに対し、例えばアミノ基に付加された銀イオン、銅イオン、亜鉛イオン等が作用し、これを有効に減少させるように働く。
【００８７】  この結果、本発明で用いた薬剤によればウイルス活性値を３．４とすることが確認できたので、千分の１以下に減少させる効果が期待できる。
【００８８】  この値によれば、人の免疫性により、侵入したウイルスにも充分に効果が発揮され、ウイルスが引き起こす多くの疾患を防止することが期待できる。
【００８９】  このとき、ニット布地は、その伸縮性故に、引っ張られたときに布地編み目が拡大するきらいがある。
【００９０】  そこで、接合剤として糊性を備えたアクリル樹脂を付着させることができる。
【００９１】  その結果、ニット布地が伸ばされても、糊性を備えたアクリル樹脂が追随して延び、編み目生じた空隙狭めることができ、且つ、その空隙は呼吸に必要な通気性は確保したものとなる。
【００９２】  又、この抗ウイルス剤の施しにあって、外気と接する表側では、侵入するウイルスを防御する必要があるが、唇部等と接する内側本体１２では薬剤の害が懸念される。
【００９３】  そこで、表側本体１１には抗ウイルス剤を施すが、内側本体１２には抗ウイルス剤を施さないものとし、矛盾のない態様とする。
【００９４】  ところで、マスク本体１０をニット布地としたとき、その伸縮性ゆえに、それが鼻下部、唇部等をそのままの形態で覆うと、密着性が過ぎて、呼吸や口の動きを抑制してしまい、息苦しさや会話に支障が生じるおそれがある。
【００９５】  そこで、中央部には、鼻下及び唇部を覆って空間Ｓを形づくる非伸縮性の接合部１３を形成し、例えば、マスク本体１０の中央部を左右に分離させた上、鼻下及び唇部との間に一定空間を保つような外膨らみの扇状に裁断し、且つ、この左右の裁片を互いに可及的に伸縮性をもたない非伸縮性とすべく縫合を施す（図９参照）。
【００９６】  この結果、鼻下部及び唇部を覆う空間Ｓが形成され、この空間Ｓは、接合部が非伸縮性である為、例え、会話等で唇を動かしても、又、呼吸をしても、ニット布地による拡大、縮小といった変化を生じることがなく、安定してこれを行うことができる。
【００９７】  このとき、中央部の接合部を、外膨らみの扇形に裁断した二つのニット布地を合わせ、その合わせ部を本縫いし、左右に開いた端部をステッチ縫いで割縫２本ステッチとして非伸縮性に縫合すると、接合部の非伸縮性が確保され、呼吸、会話等を安定して行える。
【００９８】  又、上記内側本体１２には抗ウイルス剤が施されることのない態様は、上記会話、呼吸等を一層円滑なものとすることができる。
【００９９】  次に、図１０〜図１３を用いて、本発明に係る抗ウイルス性衛生マスクを実施する他の実施形態を図面に基づいて説明する。尚、本実施形態の説明に際し、適宜、上述した図１〜図９の説明を参照し、出来る限り繰り返しの説明は省略するものとする。そのため、本実施形態の抗ウイルス性衛生マスクＭの構成部材に関し、上記説明した抗ウイルス性衛生マスクと同一の構成部材には、同一の符番を用いるものとする。
【０１００】  図１０（Ａ）は、本実施形態の抗ウイルス性衛生マスクＭを表側から見た外観を説明するための斜視図である。図１０（Ｂ）は、本実施形態の抗ウイルス性衛生マスクＭを内側から見た外観を説明するための斜視図である。図１０（Ｃ）は、本実施形態の抗ウイルス性衛生マスクＭの取り替え式布地１０６を説明するための平面図である。
【０１０１】  図１０（Ａ）に示す如く、抗ウイルス性衛生マスクＭのマスク本体１００は、主に、表側本体１０１と、内側本体１０２と、左耳介部１０３と、右耳介部１０４と、係着部１０５、１０８と、取り替え式布地１０６とを有している。尚、上述したマスク本体１０と本実施形態のマスク本体１００との相違する構造は、主に、表側本体１０１及び内側本体１０２の使用材料及びその編み構造と、表側本体１０１及び内側本体１０２に形成される鼻頂部１０７の形状と、左耳介部１０３及び右耳介部１０４の使用材料及びその構造と、内側本体１０２に新たに設けられる係着部１０５と、取り替え式布地１０６及び取り替え式布地１０６に設けられる係着部１０８と、がある。
【０１０２】  以下の説明では、主に、上記相違箇所を中心に説明する。尚、マスク本体１００においても、上記マスク本体１０と同様に、枠体２０が設けられ、枠体２０によるウイルス侵入防止効果に加え、本実施形態の綿の布地による両頬面、上顎及び下顎にかけての顔と綿の布地との密着効果が期待できる点は同様である。
【０１０３】  表側本体１０１は、表側本体左片１０１ａと、表側本体右片１０１ｂとを有し、表側本体左片１０１ａと表側本体右片１０１ｂとは、表側本体１０１の中央領域にて縫い合わされ、接合部１３が形成されている。接合部１３の縫い構造は上述した通りであり、二重の縫合により可及的な非伸縮性を得る構造が実現され、上述した空間Ｓが設けられている。
【０１０４】  表側本体左片１０１ａ及び表側本体右片１０１ｂは、例えば、綿素材の糸を用いて経編機により編み込まれた布地により形成されている。経編は、その編み方により、一方向に対して伸縮し、その一方向と直交する方向への伸縮は抑制される。そして、表側本体左片１０１ａ及び表側本体右片１０１ｂは、左右方向に対して伸縮し、上下方向への伸縮が抑制されている。尚、上述したマスク本体１０と同様に、マスク本体１００においても、主に、左右方向に伸縮する構造により、マスク本体１０が左右方向に伸びた場合には、上下方向には若干収縮し、マスク本体１００と使用者の顔とが密着し易くなる。
【０１０５】  表側本体１０１には、上述した抗ウイルス剤が施される。このとき、上述したマスク本体１０と同様に、抗ウイルス剤と綿素材の布地との間に接合材が施されることが望ましい。具体的には、上記抗ウイルス剤にアクリル樹脂と蒸留水との混合物を調製した混合液を作製し、この混合液に綿素材の布地である表側本体１０１を浸漬させた後に、表側本体１０１を引き上げて所定時間乾燥させることで、抗ウイルス剤と綿素材の布地との間に接合材が施される。尚、表側本体１０１においても、上述したマスク本体１０と同様に、布地間には、呼吸に伴う通気性とウイルスの侵入を防ぐ遮蔽性との相反する性能に対して、調整が図られる構造が実現される。
【０１０６】  図１０（Ｂ）に示す如く、内側本体１０２は、内側本体左片１０２ａと、内側本体右片１０２ｂとを有し、内側本体左片１０２ａと内側本体右片１０２ｂとは、内側本体１０２の中央領域にて縫い合わされ、接合部１３が形成されている。接合部１３の縫い構造は上述した通りであり、二重の縫合により可及的な非伸縮性を得る構造が実現され、上述した空間Ｓが設けられている。
【０１０７】  内側本体１０２は、上述した表側本体１０１と同様に、例えば、綿素材の糸を用いて経編機により編み込まれた布地により形成されている。内側本体左片１０２ａ及び内側本体右片１０２ｂは、左右方向に対して伸縮し、上下方向への伸縮が抑制されることで、内側本体１０２も表側本体１０１と同じ方向に伸縮する。そして、本実施形態では、内側本体１０２にも、上述した表側本体１０１と同様に、上述した抗ウイルス剤が施され、更には、抗ウイルス剤と綿素材の布地との間に接合材が施されている。
【０１０８】  内側本体１０２には、その周囲に沿って、例えば、６ヶ所の係着部１０５が設けられている。そして、取り替え式布地１０６が、係着部１０５、１０８を介して内側本体１０２に対して取り付けられる。図１０（Ｃ）に示す如く、取り替え式布地１０６として、例えば、不織布が用いられ、内側本体１０２よりも一回り小さい形状となっている。そして、取り替え式布地１０６には、内側本体１０２の係着部１０５に対応する箇所に、例えば、６ヶ所の係着部１０８が設けられている。
【０１０９】  ここで、係着部１０５、１０８として、例えば、面ファスナーが用いられ、それぞれ一方にはループが設けられ、他方にはフックが設けられることで、取り替え式布地１０６が内側本体１０２に対して着脱自在に取り付けられる。尚、係着部１０５、１０８の構造としては、面ファスナーに限定するものではなく、ボタン、ファスナー等でも良い。
【０１１０】  マスク本体１００は、表側本体１０１、内側本体１０２及び取り替え式布地１０６の３層構造となり、取り替え式布地１０６が、マスク本体１００のフィルター層としての役割を果たしている。そして、ＰＭ２．５や粉塵等の微小な大気汚染物質が、表側本体１０１や内側本体１０２を通過した場合でも、使用者の口の手前に取り替え式布地１０６が介在することで、上記大気汚染物質が人の体内へ侵入することが大幅に防止される。
【０１１１】  また、マスク本体１００の表側本体１０１及び内側本体１０２は、上述したマスク本体１０と同様に、繰り返し洗濯し使用することが可能である。一方、取り替え式布地１０６は、使用者の口や顔に当接するため、使用者の唾液、汗や女性の化粧品が付着し易くなる。そのため、抗ウイルス性衛生マスクＭの使用者が、適宜、取り替え式布地１０６を使い捨て方式により交換して利用することで、更に、衛生的に抗ウイルス性衛生マスクＭを使用することが可能となる。
【０１１２】  尚、表側本体１０１と内側本体１０２とは、その周囲に設けられる枠体２０により固定されている。枠体２０は、表側本体１０１と内側本体１０２とを挟み込む様に縫合されている。この構造により、表側本体１０１と内側本体１０２とは、その周囲にて環状に固定されるが、その内側は固定されていない。そして、例えば、係着部１０５に沿って内側本体１０２に切り込みを設け、表側本体１０１と内側本体１０２との間に粉塵用のフィルターやアロマ材等を挿入する場合でも良い。
【０１１３】  図１１は、本実施形態の抗ウイルス性衛生マスクＭを折り畳んだ外観を説明するための側面図である。尚、図１１では、抗ウイルス性衛生マスクＭを中央の接合部１３にて半分に折り畳み、左側の側面から見た状態を示している。
【０１１４】  図１１に示す如く、マスク本体１００の鼻頂部１０７は、上述したマスク本体１０の鼻頂部２１よりも鋭角に形成されている。具体的には、鼻頂部１０７の角度αは、鼻頂部２１の角度β（図３参照）に対してα＜βとなり、鋭角に、且つ、鼻頂部１０７は鼻頂部２１よりも上方向に長く形成されている。この構造により、鼻頂部１０７は、使用者の鼻筋に沿って装着され、鼻部の上部まで包み込むように装着される。上述したように、表側本体１０１及び内側本体１０２は、その経編形状により、マスク本体１００の左右方向に伸縮し、上下方向には伸縮し難くなるため、マスク本体１００が使用者の鼻部の凹凸形状に沿って密着して装着される。この構造により、使用者の鼻部とマスク本体１００との隙間がより低減され、その隙間からのウイルスの侵入が防止される。
【０１１５】  尚、マスク本体１００の形状は、上述した鼻頂部１０７の形状以外は、実質、上述したマスク本体１０の形状と同じ形状であり、使用者の鼻部、両耳介部、下顎部を全体的に覆う形状となっている。また、表側本体１０１と内側本体１０２の外周には、マスク本体１０と同様に、表側本体１０１及び内側本体１０２と同じ布地からなる枠体２０が形成されている。そして、鼻頂部１０７の枠体２０内には、使用者の鼻形状に沿って変形するシリコン製の芯材（図示せず）が配設されている。使用者は、抗ウイルス性衛生マスクＭを装着した後、自身の鼻形状に合わせて上記芯材を変形させることで、抗ウイルス性衛生マスクＭが顔からずれ難くなる。
【０１１６】  図１２（Ａ）及び図１２（Ｂ）は、本実施形態の抗ウイルス性衛生マスクＭの両耳介部１０３、１０４の構造及び製造方法を説明する側面図である。尚、図１２（Ａ）及び図１２（Ｂ）では、抗ウイルス性衛生マスクＭを表側から見た状態を示し、左耳介部１０３にて説明を行うが、右耳介部１０４も同じ構造および製造方法となるため、その説明は参照し、省略する。
【０１１７】  図１２（Ａ）に示す如く、左耳介部１０３が上述した左耳介部２３ａと相違する構造は、その内部にゴム状部１０９が配設されている点である。ゴム状部１０９の一端は、例えば、表側本体１０１及び内側本体１０２の上端部に縫合により固定されている。一方、ゴム状部１０９の他端は、例えば、表側本体１０１及び内側本体１０２の下端部に縫合により固定されている。尚、表側本体１０１と内側本体１０２との左右方向の端部は、枠体２０と同様に、その上下方向に渡り枠体２０ｂにより固定されている。
【０１１８】  図１２（Ｂ）に示す如く、枠体２０が、表側本体１０１と内側本体１０２の周囲から延在して、ゴム状部１０９に沿って縫製されることで、耳介の外側に沿って左耳介部１０３が形成される。つまり、枠体２０は、表側本体１０１と内側本体１０２の周囲から左耳介部１０３及び右耳介部１０４（図１０（Ａ）参照）に掛けて環状に形成される。
【０１１９】  マスク本体１００では、左耳介部１０３が使用者の顔の大きさや形状に応じてゴム状部１０９の伸縮に合わせて伸縮することで、マスク本体１００と使用者の顔との密着性が向上される。また、左耳介部１０３は、装着時に使用者により繰り返し引っ張られ、更には、マスク本体１００と一緒に繰り返し洗濯されるが、内部にゴム状部１０９が配設されることで、ゴム状部１０９に合わせて形状が戻り、左耳介部１０３が伸びきってしまうことが防止される。そして、抗ウイルス性衛生マスクＭを繰り返し使用しても、使用者の顔への密着性の低下が大幅に防止される。
【０１２０】  図１３は、一般財団法人日本繊維製品品質技術センターにおける抗ウイルス性試験の結果を説明するための図である。
【０１２１】  当該試験では、試験方法は繊維製品の抗ウイルス性試験方法であるＩＳＯ１８１８４である。試験概要としては、試験ウイルスはＡ型インフルエンザウイルス（Ｈ３Ｎ２）であり、宿主細胞はＭＤＣＫ細胞（イヌ腎臓由来細胞）であり、試験サンプルはマスク本体１００に用いられる布地０．４ｇであり、洗い出し液はＳＣＤＬＰ培地であり、放置条件は２５℃、２時間であり、感染価測定法はプラーク測定法である。尚、選択方法としては、ＪＩＳ  Ｌ  ０２１７  １０３号準拠  吊干しであり、ＪＡＦＥＴ標準配合洗剤を使用している。
【０１２２】  具体的には、先ず、宿主細胞にウイルスを感染させ、培養後、遠心分離によって細胞残渣を除去したものをウイルス懸濁液とする。次に、上記ウイルス懸濁液を滅菌蒸留水を用いて１０倍希釈し、２±１×１０７ＰＦＵ／ｍＬに調整したものを試験ウイルス懸濁液とする。次に、各検体に試験ウイルス懸濁液を０．２ｍＬ接種する。次に、２５℃、２時間放置後、洗い出し液を２０ｍＬ加え、ボルテックスミキサーで攪拌し、検体からウイルスを洗い出す。最後に、プラーク測定法にてウイルス感染価を測定する。
【０１２３】  図示したように、本実施形態のマスク本体１００の布地の原布において抗ウイルス活性値が４．０以上であり、洗濯３回後の布地においても抗ウイルス活性値が４．０以上であるという試験結果が得られた。そして、本実施形態では、抗ウイルス活性値が４．０以上となることで、ウイルスの働きを１万分の１以下に減少させる効果が得られる。
【０１２４】  上記試験結果からも、本実施形態の抗ウイルス性衛生マスクＭは、上記綿素材の糸を編み込んだ布地を用いることで、繰り返し洗濯して使用しても抗ウイルス性の機能が低下し難いことが立証された。上述したように、抗ウイルス性衛生マスクＭは、マスク本体１００の表側本体１０１及び内側本体１０２に対して抗ウイルス剤が施されている構造により、繰り返し洗濯して使用した場合でも抗ウイルス性の機能が長期間に渡り得られる。尚、使用者の口が、抗ウイルス剤が施されている布地に対して直接当接しても健康上問題はないが、本実施形態では、使用者の口と内側本体１０２との間に抗ウイルス剤が施されていない取り替え式布地１０６が設けられていることで、上記当接が気になる使用者に対する配慮も成されている。
【０１２５】  尚、本実施形態では、取り替え式布地１０６が、例えば、不織布からなり、その表面に係着部１０８が設けられる場合について説明したが、この場合に限定するものではない。例えば、取り替え式布地１０６が、直接、内側本体１０２の係着部１０５に係止される場合には、取り替え式布地１０６に係着部１０８が設けられない場合でも良い。本発明の要旨を逸脱しない範囲にて種々の変更が可能である。
【符号の説明】
【０１２６】  １０      マスク本体  １１      表側本体  １１ａ    表側本体左片  １１ｂ    表側本体右片  １２      内側本体  １２ａ    内側本体左片  １２ｂ    内側本体右片  １３      接合部  １３ａ    表側接合部  １３ｂ    内側接合部  ２０      枠体  ２１      鼻頂部  ２１ａ    左曲線部  ２１ｂ    右曲線部  ２２      下顎部  ２３ａ    左耳介部  ２３ｂ    右耳介部  ２４ａ    左内耳介部  ２４ｂ    右内耳介部  Ｓ        空間  １００    マスク本体  １０１    表側本体  １０２    内側本体  １０３    左耳介部  １０４    右耳介部  １０５    係着部  １０６    取り替え式布地  １０７    鼻頂部  １０８    係着部  １０９    ゴム状部 
【図１】
2017073675.tif 000003
【図２】
2017073675.tif 000004
【図３】
2017073675.tif 000005
【図４】
2017073675.tif 000006
【図５】
2017073675.tif 000007
【図６】
2017073675.tif 000008
【図７】
2017073675.tif 000009
【図８】
2017073675.tif 000010
【図９】
2017073675.tif 000011
【図１０】
2017073675.tif 000012
【図１１】
2017073675.tif 000013
【図１２】
2017073675.tif 000014
【図１３】
2017073675.tif 000015
【国際調査報告】
2017073675.tif 000016
2017073675.tif 000017
2017073675.tif 000018
2017073675.tif 000019
2017073675.tif 000020
2017073675.tif 000021
2017073675.tif 000022
2017073675.tif 000023